(57)【要約】【課題】外壁本体に設けられる凹凸パターン表面を備える外装パネルの端部からの浸水を防止する外装パネル用役物の提供を目的とする。【解決手段】建築物の外壁本体１２に設けられ、表面１３ａに凹凸パターン１３ｂを備える外装パネル１３の端部１３ｃ保護用の長尺の外装パネル用役物１１である。外装パネル用役物１１の断面形状は、外装パネル１３の表面１３ａに当接する外側材１４と、外壁本体１２に当接する内側材１５と、外装パネル１３の端面１３ｄを覆って外側材１４の一端１４ａと内側材１５の一端１５ａとを直角に連結する連結材１６とで形成される。外側材１４に外装パネル１３の凹凸パターン１３ｂの凸部２０ｂに対応して覆う台形状の凸部１８が形成される。外側材１４の他端１４ｂは外装パネル用役物１１の内部側に折畳まれて凸状１４ｃに形成される。【選択図】図１
2007262751.tif 000002
【特許請求の範囲】
【請求項１】
建築物の外壁本体に設けられ表面に凹凸パターンを備える外装パネルの端部保護用の長尺の外装パネル用役物であって、
前記外装パネル用役物の断面形状は、前記外装パネルの表面に当接する外側材と、前記外壁本体に当接する内側材と、前記外装パネルの端面を覆って前記外側材の一端と前記内側材の一端とを連結する連結材とから成り、
前記外側材と内側材は前記外装パネルの厚さと同じ幅で隔てて平行に形成し、前記外側材に前記外装パネルの凹凸パターンに対応する凸部又は凹部が形成されることを特徴とする外装パネル用役物。
【請求項２】
請求項１に記載の外装パネル用役物であって、前記外壁本体に当接する内側材は、前記外側材と対向する位置又は離反する位置に形成されることを特徴とする外装パネル用役物。
【請求項３】
請求項１又は請求項２に記載の外装パネル用役物であって、前記外装パネル用役物は鋼板による板金加工で一体形成されることを特徴とする外装パネル用役物。
【発明の詳細な説明】
【技術分野】
【０００１】
本発明は、外壁本体に設ける外装パネルの端部保護用の外装パネル用役物に関し、特に、凹凸パターン表面を備える外装パネルの端部からの雨水侵入を確実に防止できる技術に関する。
【背景技術】
【０００２】
従来、外装パネルを建築物の外壁本体に取付ける場合に、外装パネルの端部や裏面側に雨水が浸入することがあり、外装パネルとして用いられる金属サイディングの断熱材や表面を覆う金属板が浸水により劣化や腐食して断熱性や防音性能が低下するという問題があった。
【０００３】
この問題点を解決するために、特許文献１の記載の外装パネル用役物の構成が知られている。特許文献１によれば、図８に示すように、上下に設置される外装パネル１、１の接合部に外装パネル用役物４が配置される。
【０００４】
外壁本体に木製の横胴縁９が設けられ、上側の横胴縁９の表面に支持具８、下側の横胴縁９の表面に外装パネル用役物４が、それぞれ木ねじ等の固定具１０を用いて固着される。
【０００５】
外装パネル１の下部裏面側に、固定片５の下端部に水切り片６及び係止片７を有する外装パネル用役物４を、水切り片６が外装パネル１面から突出するように固定される。上方の外装パネル１は、下端を断面略コ字状の支持具２にて支持させ、その支持具２の背面に設けられた被係止片３を外装パネル用役物４の係止片７に係止させて固定される。
【０００６】
そして、左右に隣り合う複数枚の外装パネル１同士が、その左右両端に形成された図示しない段部を互いに係合させて横方向に順次配置される。また、この外装パネル１下方にも他の外装パネル１が同様に設けられる。
【０００７】
このように、外装パネル用役物４によって上下に設置される外装パネル１、１間の接合部の水切りを行うことができるので外装パネル裏面側への雨水の侵入を防ぐことができる。
【特許文献１】特開２０００−４５４００号公報
【発明の開示】
【発明が解決しようとする課題】
【０００８】
ところが、上記の外装パネル用役物４の構造では、水切り片６が外装パネル１の表面よりも突出するので、外観上の見栄えが悪く品質が劣るという問題があった。また、上方の外装パネル１の下端と支持具２と隙間から雨水が浸入することがあった。
【０００９】
そこで、本発明は、外壁本体に設けられて凹凸パターン表面を備える外装パネルの端部からの浸水を確実に防止する外装パネル用役物を提供することを目的とする。
【課題を解決するための手段】
【００１０】
請求項１の発明は、建築物の外壁本体に設けられ表面に凹凸パターンを備える外装パネルの端部保護用の長尺の外装パネル用役物であって、前記外装パネル用役物の断面形状は、前記外装パネルの表面に当接する外側材と、前記外壁本体に当接する内側材と、前記外装パネルの端面を覆って前記外側材の一端と前記内側材の一端とを連結する連結材とから成り、前記外側材と内側材は前記外装パネルの厚さと同じ幅で隔てて平行に形成し、前記外側材に前記外装パネルの凹凸パターンに対応する凸部又は凹部が形成されることを特徴としている。
【００１１】
請求項２の発明は、請求項１に記載の外装パネル用役物であって、前記外壁本体に当接する内側材は、前記外側材と対向する位置又は離反する位置に形成されることを特徴としている。
【００１２】
請求項３の発明は、請求項１又は請求項２に記載の外装パネル用役物であって、前記外装パネル用役物は鋼板による板金加工で一体形成されることを特徴としている。
【発明の効果】
【００１３】
請求項１の発明によれば、請求項１の発明は、建築物の外壁本体に設けられ表面に凹凸パターンを備える外装パネルの端部保護用の長尺の外装パネル用役物であって、前記外装パネル用役物の断面形状は、前記外装パネルの表面に当接する外側材と、前記外壁本体に当接する内側材と、前記外装パネルの端面を覆って前記外側材の一端と前記内側材の一端とを連結する連結材とから成り、前記外側材と内側材は前記外装パネルの厚さと同じ幅で隔てて平行に形成し、前記外側材に前記外装パネルの凹凸パターンを覆う凸部又は凹部が形成されるので、前記外装パネルの端部をより確実に覆うことができるので雨水の浸入を確実に防ぐことができる。
【００１４】
前記外側材が前記外装パネルから突出しないので、外観上の見栄えが良くなり品質性が向上する。
【００１５】
請求項２の発明は、請求項１に記載の外装パネル用役物であって、前記外壁本体に当接する内側材は前記外装パネルの端面を覆うとともに、前記外側材と対向する位置又は離反する位置に形成されて外装パネルの端部を保護することができる。このため、請求項１の発明の効果と同様の効果が得られるとともに、略同じ工程を用いて二種類の加工ができるので生産性が向上する。
【００１６】
請求項３の発明は、請求項１又は請求項２に記載の外装パネル用役物であって、前記外装パネル用役物は鋼板による板金加工で一体形成されるので、容易に製作できるのでコストを下げることができる。
【発明を実施するための最良の形態】
【００１７】
以下に、本発明の第１の実施形態を図１、図２に基づいて説明する。
＜外装パネル用役物の構成＞
【００１８】
図１に示すように、本発明の外装パネル用役物１１は建築物の外壁本体１２に設けられ、表面１３ａに凹凸パターン１３ｂを備える外装パネル１３（厚さＭ＝２１ｍｍ）の端部１３ｃ保護用の長尺の外装パネル用役物１１である。
【００１９】
外装パネル用役物１１の断面形状は、外装パネル１３の表面１３ａに当接する外側材１４と、外壁本体１２に当接する内側材１５と、外装パネル１３の端面１３ｄを覆って外側材１４の一端１４ａと内側材１５の一端１５ａとを直角に連結する連結材１６（長さＳ３＝２０．０ｍｍ）とで形成される。
【００２０】
内側材１５（全長Ｔ８＝４５ｍｍ）の他端１５ｂは外装パネル用役物１１の内部側に内側材１５と平行に高さＳ＝１．５ｍｍ、長さＴ＝６ｍｍで折畳まれる。また、他端１５ｂから長さＴ１＝９ｍｍの位置に凸部１５ｃ（幅Ｔ２＝２．８ｍｍ、高さＳ１＝１．５ｍｍ）が内側材１５と連続的に突出して形成される。
【００２１】
内側材１５は図示しないビス等を介して外壁本体１２に取付けられる。凸部１５ｃは、万一雨水等が目地部より流入しても、雨水が外壁本体１２に侵入するのを防止するためのものである。
【００２２】
さらに、外側材１４の他端１４ｂは外装パネル用役物１１の内部側に折畳まれて凸状１４ｃ（幅Ｔ５＝５ｍｍ、高さＳ４＝２ｍｍ）が形成される。一端１４ａから凸部１８までの長さＴ６＝７ｍｍ、外側材１４の全長Ｔ７＝２４ｍｍである。
【００２３】
より詳しくは、外側材１４と内側材１５は外装パネル１３を覆うように平行に対向して配置され、外側材１４に外装パネル１３の凹凸パターン１３ｂのそれぞれの凸部２０（凸部２０ｂ）に対応する台形状の凸部１８（頂辺Ｔ３＝６ｍｍ、底辺Ｔ４＝１２ｍｍ、高さＳ２＝３ｍｍ）が、長尺の外装パネル用役物１１の全長に亘って設けられる。
【００２４】
外装パネル１３は断熱性、遮音性等を目的として、内部の断熱材を両側から薄肉の金属板で被覆してなる金属サイディングが用いられ、表面に凹凸パターン１３ｂが形成される。
【００２５】
複数の外装パネル１３は外壁本体１２の下から上に向かって順番に横張りで組付けられるか、又は左右方向に縦張りの場合もある。また、図示しない胴縁を介して取付けることもある。外装パネル用役物１１は取付時に図示しないシール材を用いて防水対策が講じられる。
【００２６】
なお、外装パネル用役物１１は板厚Ｔ６＝０．３５ｍｍの薄板鋼板の両表面にアルミ・亜鉛合金メッキを施し、板金加工により連続して一体的に形成され、さらに、表面側にフッ素樹脂塗装、裏面側にポリエステル樹脂塗装が施された材料が用いられる
【００２７】
図２（ａ）、（ｂ）に示すように、外装パネル１３の凹凸パターン１３ｂの凸部２０は凸部２０ａ（平面視で略正方形状の長方形からなる角錐台形状）と、上記の凸部２０ｂ（平面視で細長い長方形からなる角錐台形状）の二種類のパターンで形成される。より詳しくは、凹凸パターン１３ｂの凹部は、二種類の凸部２０ａ又は凸部２０ｂで囲まれる領域であるため、凹凸パターンは実質的には複数の凸部で形成されるパターンである。
【００２８】
凸部２０ａの大きさは、底面（横幅Ｋ＝８４ｍｍ、縦幅Ｎ＝７２ｍｍ）、高さＨ＝５ｍｍであり、４側面が頂部に向かって一定の角度で傾斜している。
凸部２０ｂ大きさは、底面（横幅Ｋ１＝８４ｍｍ、縦幅Ｎ１＝５ｍｍ）、高さＨ１＝３ｍｍであり、４側面が頂部に向かって同様に一定の角度で傾斜している。
【００２９】
そして、それぞれの凸部２０ａと凸部２０ｂは横幅方向にＱ＝７ｍｍの間隔に配列され、縦幅方向は一対の凸部２０ａの間に二組の凸部２０ｂを挟んでそれぞれＱ１＝５ｍｍの間隔で配列され、縦横に互いがずれないように規則正しく配列される。
【００３０】
施工現場において、寸法合わせのために凸部２０を切断して用いることが多く、図１の外装パネル１３の端面１３ｄは、二組の凸部２０ｂの内の一組の凸部２０ｂを残して他の凸部２０ｂと凸部２０ａが切断（Ｂ−Ｂ断面）して使用される場合である。
＜外装パネル用役物の作用＞
【００３１】
外側材１４に外装パネル１３のそれぞれの凹凸パターン１３ｂを覆う凸部２０ｂが形成されるので、外側材１４と凹凸パターン１３ｂの間の隙間が確実に覆われるため外装パネル１３の端部１３ｃへの雨水の浸入を効果的に防ぐことができる。外側材１４が外装パネル１３から突出しないので、外観上の見栄えが良くなり品質性が向上する。
＜第２の実施形態＞
【００３２】
本発明の第２の実施形態の外装パネル用役物１１ａを図３を用いて説明をするが、図１、図２（ａ）、（ｂ）に示す外装パネル用役物１１の構成と同構成部分については、図面に同符号を付して重複した説明を省略する。
【００３３】
図３に示すように、外壁本体１２に当接する内側材２２は、外装パネル１３の端面１３ｄを覆って外側材と１４と離反する位置に形成される。
【００３４】
そして、外側材１４の一端１４ａと内側材２２の一端２２ａとを連結する連結材２３は、一端１４ａから挟角θ＝１１度で傾斜する傾斜板２３ａと内側材２２に間隔Ｓ６＝５ｍｍで平行な平行材２４（長さＴ１０＝１２ｍｍ）と内側材２２に直角で一端２２ａと交わる直角材２５とが連続して形成される。凸部１８と内側材２２間の幅Ｓ７＝２１ｍｍである。
【００３５】
内側材２２（全長Ｔ９＝４０ｍｍ）の他端２２ｂは外装パネル用役物１１の外部側に内側材２２と平行に長さＴ＝６ｍｍで折畳まれる。外側材１４の他端１４ｂは外装パネル用役物１１の内部側に挟角θ＝１０度で折畳まれて凸状１４ｃが形成される。
＜第３の実施形態＞
【００３６】
本発明の第３の実施形態の外装パネル用役物１１ｂを図４〜図６を用いて説明をするが、図１、図２（ａ）、（ｂ）に示す外装パネル用役物１１の構成と同構成部分については、図面に同符号を付して重複した説明を省略する。
【００３７】
図４、図５（ａ）、（ｂ）、図６（ａ）、（ｂ）に示すように、外装パネル用役物１１ｂの断面形状は、外装パネル１３の端面１３ｄを覆って外側材３２の一端３２ａと内側材１５の一端１５ａとを直角に連結する連結材１６（長さＭ１＝２１．５ｍｍ）とで形成される。外側材３２の他端３２ｂは外装パネル用役物１１ｂの内部側に内側材１５と平行に折返し部３２ｃが形成される。
【００３８】
そして、外装パネル１３の凹凸パターン１３ｂのそれぞれ隣接する凸部２０ａに挟まれる凹部３０に対応して外側材１４に台形状の凸部３１（頂辺Ｕ＝７ｍｍ、底辺Ｕ１＝１７ｍｍ、高さＵ２＝５ｍｍ、長さＵ４＝２４ｍｍ）が外側材３２に形成される。
【００３９】
より詳しくは、凸部３１の頂辺は平面視で底辺から等しくＵ３＝５ｍｍだけ狭めた形状である。凸部３１の取付位置は外装パネル用役物１１ｂの長手方向の取付ピッチはＫ＋Ｑ＝８４ｍｍ＋７ｍｍ＝９１ｍｍで設けられる。なお、外装パネル１３を外装パネル１３の中間部（Ｄ−Ｄ断面）で切断して使用する場合でも、その切断面は外装パネル１３の切断前の端面１３ｄの凸部２０ａの断面形状と同じである。
【００４０】
この凸部３１によって、外装パネル１３の凹凸パターン１３ｂを確実に覆うことができるので、外装パネル１３の端部１３ｃへの雨水の浸入を確実に防ぐことができる。外側材３２が外装パネル１３から突出しないので、外観上の見栄えが良く品質性が向上する。
＜第４の実施形態＞
【００４１】
本発明の第４の実施形態の外装パネル用役物１１ｃは、図７に示すように、外壁本体１２に当接する内側材２２が、外装パネル１３の端面１３ｄを覆って外側材１４と離反する方向に形成される。
【００４２】
外装パネル用役物１１ｃの断面形状は、図３に示す外装パネル用役物１１ａの内側材２２及び連結材２３と、図４に示す外装パネル用役物１１ｂの外側材３２とを連結した構成と同様であるため、図面に同符号を付して重複した説明を省略する。
【００４３】
以上、本発明の実施形態を図面に基づいて説明したが、上記の実施例はいずれも本発明の一例を示したものであり、本発明はこれらに限定されるべきでないということは言うまでもない。
【００４４】
長尺の外装パネル用役物１１の外側材１４に外装パネル１３の凹凸パターン１３ｂの凸部２０（凸部２０ｂ）に対応する台形状の凸部１８をそれぞれ設ける代わりに、外側材１４の全長に亘って複数の凸部２０ｂを一度に覆う一組の凸部を設けても構わない。
【００４５】
外装パネル用役物は外装パネル端部が上下左右どちらの方向であっても使用できる。外装パネル端部が下方に向いている場合の連結材１６には場合によりドレン抜き用の孔が適宜設けられる。
【００４６】
外装パネル用役物の各寸法を調整することで、厚さＨ＝２１ｍｍ以外の金属サイディングにも用いることができる。
【図面の簡単な説明】
【００４７】
【図１】本発明の第１の実施形態における、建築物の外壁本体１２に設けられ、表面１３ａに凹凸パターン１３ｂを備える外装パネル１３の端部１３ｃを覆う長尺の外装パネル用役物１１の断面図である。
【図２】本発明の第１の実施形態における、（ａ）は図１のＡ−Ａ矢視図、（ｂ）は図２（ａ）のＢ−Ｂ断面図である。
【図３】本発明の第２の実施形態における、外装パネル用役物１１ａの断面図である。
【図４】本発明の第３の実施形態における、外装パネル用役物１１ｂの断面図である。
【図５】本発明の第３の実施形態における、（ａ）は図４のＣ−Ｃ矢視図、（ｂ）は図５（ａ）のＤ−Ｄ断面図である。
【図６】本発明の第３の実施形態における、（ａ）は図４のＥ−Ｅ矢視図、（ｂ）は図４（ａ）のＦ−Ｆで断面透視図である。
【図７】本発明の第４の実施形態における、外装パネル用役物１１ｃの断面図である。
【図８】従来の、建築物の外壁本体に設けられる外装パネル１の端部を覆う長尺の外装パネル用役物４の断面図である。
【符号の説明】
【００４８】
１１  外装パネル用役物
１２  外壁本体
１３  外装パネル
１３ａ  表面
１３ｂ  凹凸パターン
１３ｃ  端部
１３ｄ  端面
１４  外側材
１４ａ  一端
１４ｂ  他端
１４ｃ  凸状
１５  内側材
１５ａ  一端
１６  連結材
１８  凸部
２０ａ  凸部
２０ｂ  凸部
【図１】
2007262751.tif 000003
【図２】
2007262751.tif 000004
【図３】
2007262751.tif 000005
【図４】
2007262751.tif 000006
【図５】
2007262751.tif 000007
【図６】
2007262751.tif 000008
【図７】
2007262751.tif 000009
【図８】
2007262751.tif 000010